(57)【要約】【課題】  入賞球の三個噛みを確実に防止する。【解決手段】  開放姿勢と閉鎖姿勢との間で回動可能な左右一対の可動片４Ａ，４Ｂを備え、開放姿勢となった一対の可動片４Ａ，４Ｂの間に進入してきた所定数の入賞球によって可動片４Ａ，４Ｂが閉鎖姿勢に回動させられるとともに、可動片４Ａ，４Ｂが閉鎖姿勢のときに生じた入賞球によって可動片４Ａ，４Ｂが開放姿勢に回動させられる。開放姿勢において左右の可動片４Ａ，４Ｂの基端部４４間に、入賞球の外径よりも大きい内径の開口１ａが形成される。【選択図】        図３
2006055376.tif 000002
【特許請求の範囲】
【請求項１】
開放姿勢と閉鎖姿勢との間で回動可能な左右一対の可動片を備え、開放姿勢となった前記一対の可動片の間に進入してきた所定数の第１の入賞球によって前記可動片が閉鎖姿勢に回動させられるとともに、前記可動片が閉鎖姿勢のときに生じた第２の入賞球によって前記可動片が開放姿勢に回動させられるようにした遊技機の入賞球受口器において、開放姿勢において前記左右の可動片の基端部間に、前記第１の入賞球の外径よりも大きい内径の開口が形成されるようにしたことを特徴とする遊技機の入賞球受口器。
【請求項２】
開放姿勢となった前記一対の可動片の下方に、前記第１の入賞球１個分を収納できる収納空間が形成されている請求項１に記載の遊技機の入賞球受口器。
【請求項３】
開放姿勢にある前記左右一対の可動片の基端部により、前記第１の入賞球を二個は並列に収納できない幅寸法の、上方へ開放する凹所が形成されるようにした請求項１又は２に記載の遊技機の入賞球受口器。
【請求項４】
略中間部を軸支されて傾動するように筐体内に配設された操作部材を備え、前記左右一対の可動片は、前記操作部材の一端部の上昇移動に伴って前記開放姿勢に回動させられるとともに前記一端部の下降移動に伴って前記閉鎖姿勢に回動させられるようになっており、前記操作部材は、前記第１の入賞球が前記一端部側に当接したときの荷重によって当該一端部が下降移動させられるとともに、前記第２の入賞球が他端部側に当接したときの荷重によって前記一端部が上昇移動させられるものであり、かつ前記筐体の内壁には、前記第１の入賞球を前記一端部側へ案内する案内部材を設けた請求項１ないし３のいずれかに記載の遊技機の入賞球受口器。
【発明の詳細な説明】
【技術分野】
【０００１】
本発明は、パチンコ遊技機、アレンジボール遊技機等の遊技機の入賞球受口器に関し、特に、開放姿勢と閉鎖姿勢の間で回動する可動片を備えた入賞球受口器に関する。
【背景技術】
【０００２】
この種の入賞球受口器には、一対の翼状可動片を備えて、特別遊技状態ではこれら翼状可動片を大きく離間方向へ開いて入賞球を進入させるようにして、受口器への入賞確率が飛躍的に高まるようにしたものがある。このような入賞球受口器において、図１５（Ａ）に示すように、開放姿勢の左右の可動片４Ａ，４Ｂの間に遊技球（入賞球）Ｂが進入すると、その荷重を受けて可動片４Ａ，４Ｂは矢印で示すように軸部材４１を中心にやや閉鎖方向へ回動しようとするが、図１５（Ｂ）に示すように、三個の入賞球Ｂ１，Ｂ２，Ｂ３が連続して進入した場合に、これらの間に平衡状態が生じて入賞球が可動片の間を通過できない、いわゆる球噛みを生じることがある。なお、特許文献１には可動片の対向する内面を非対称の円弧状に窪ませることにより、連続して進入した二個の入賞球が球噛みを生じないようにした入賞球受口器が示されている。
【特許文献１】実開平７−７６８６号
【発明の開示】
【発明が解決しようとする課題】
【０００３】
そこで、三個の入賞球が連続して進入した場合にも球噛み（三個噛み）を生じることがない入賞球受口器が求められていた。
【０００４】
本発明はこのような要請に鑑みたもので、入賞球の三個噛みを確実に防止できる遊技機の入賞球受口器を提供することを目的とする。
【課題を解決するための手段】
【０００５】
上記目的を達成するために、本第１発明では、開放姿勢と閉鎖姿勢との間で回動可能な左右一対の可動片（４Ａ，４Ｂ）を備え、開放姿勢となった一対の可動片（４Ａ，４Ｂ）の間に進入してきた所定数の第１の入賞球によって可動片（４Ａ，４Ｂ）が閉鎖姿勢に回動させられるとともに、可動片（４Ａ，４Ｂ）が閉鎖姿勢のときに生じた第２の入賞球によって可動片（４Ａ，４Ｂ）が開放姿勢に回動させられるようにした遊技機の入賞球受口器（１）において、開放姿勢において左右の可動片（４Ａ，４Ｂ）の基端部（４４）間に、第１の入賞球の外径よりも大きい内径の開口（１ａ）が形成されるようにした。ここで、上記「回動」は、開放姿勢あるいは閉鎖姿勢に回転した後、その状態を維持するものを含む。また、上記「所定数」は、一個または所定の複数個を意味する。上記「生じる」とは、閉鎖姿勢となった可動片の間に形成される入賞口、あるいは入賞球受口器の筐体に形成される入賞口、筐体外の遊技盤面に設けられた入賞口等に遊技球（入賞球）が進入した状態をいう。また、「開口」の形状は円形状に限定されず、四角形状等、入賞球の外径よりも大きければどのような形状でも良い。
【０００６】
本第１発明においては、開放姿勢において左右の可動片の基端部間に、第１の入賞球の外径よりも大きい内径の開口が形成されるから、三個の入賞球が連続して可動片に至っても最初の入賞球は抵抗なく速やかに上記開口内に進入し、従来のように開放姿勢の可動片上で三個の入賞球が平衡状態となって三個噛みを生じることはない。
【０００７】
本第２発明では、開放姿勢となった上記一対の可動片（４Ａ，４Ｂ）の下方に、第１の入賞球１個分を収納できる収納空間（Ｓ）が形成されている。本第２発明では可動片間の上記開口内に進入した最初の第１の入賞球は完全に開口を通過するから、可動片上で三個の第１の入賞球が平衡状態となって三個噛みを生じることがさらに確実に防止される。
【０００８】
本第３発明では、開放姿勢にある左右一対の可動片（４Ａ，４Ｂ）の基端部（４４）により、第１の入賞球を二個は並列に収納できない幅寸法の、上方へ開放する凹所（１ｂ）が形成されるようにした。本第３発明においては、連続して可動片に至った三個の第１の入賞球のうち最初の第１の入賞球が可動片間の上記開口内に進入しあるいはこれを通過した後、残る二個の第１の入賞球のうち一方のみが凹所内に収納されて上記開口へ案内される。したがって、残る二個の第１の入賞球が平衡状態となって二個噛みを生じることは避けられ、三個の第１の入賞球が確実に順次上記開口内に進入させられる。
【０００９】
本第４発明では、略中間部を軸支されて傾動するように筐体（２）内に配設された操作部材（３）を備え、左右一対の可動片（４Ａ，４Ｂ）は、操作部材（３）の一端部（３４）の上昇移動に伴って開放姿勢に回動させられるとともに一端部（３４）の下降移動に伴って閉鎖姿勢に回動させられるようになっており、操作部材（３）は、第１の入賞球が一端部（３４）側に当接したときの荷重によって当該一端部（３４）が下降移動させられるとともに、第２の入賞球が他端部（３９）側に当接したときの荷重によって一端部（３４）が上昇移動させられるものであり、かつ筐体（２）の内壁には、第１の入賞球を一端部（３４）側へ案内する案内部材（５）を設ける。本第４発明において、第１の入賞球はその進入軌跡によっては操作部材の一端部側に当接せずあるいは不十分にしか当接しないことがあるが、この場合にも、第１の入賞球が案内部材によって再び一端部側へ案内されてこれに当接することによって操作部材はその一端部が下降移動するように傾動させられ、可動片が確実に閉鎖姿勢に回動させられる。
【００１０】
なお、上記カッコ内の符号は、後述する実施形態に記載の具体的手段との対応関係を示すものである。
【発明の効果】
【００１１】
以上のように、本発明の遊技機の入賞球受口器によれば、開放姿勢になった可動片での入賞球の三個噛みを確実に防止することができる。このような本発明は、入賞球を利用して可動片の開放・閉鎖動作を機械的に行う入賞球受口器に好適に使用できるものである。
【発明を実施するための最良の形態】
【００１２】
（第１実施形態）
図１は可動片が開放姿勢となった状態での入賞球受口器の断面図、図２はその概略正面図である。入賞球受口器１の筐体２は、操作部材３を収納した容器部２１と、その前面に装着されたカバー部２２とから構成されている。容器部２１の前壁２１１には開口２１２が形成されており、前壁２１１の外周部は取付用のフランジとなっている（図２）。カバー部２２は容器部２１の前壁２１１に接する底壁２２１と、底壁２２１から立ち上がる前壁２２２を備えた断面Ｌ字状のもので、前壁２２２は上記前壁２１１よりも狭幅の所定形状に成形されて、前壁２１１に対して一定間隔を保って略平行に延びている。
【００１３】
前壁２２２の裏面には上下方向の中間の左右位置に、前壁２１１に向けて突出する一対の軸体４１が設けられて、これら各軸体４１にそれぞれ翼状の可動片４Ａ，４Ｂの基端部４４が貫通孔を嵌装させて回動可能に装着されている。前後の前壁２１１，２２２の間に位置させられた各可動片４Ａ，４Ｂは開放姿勢では互いに離間方向へ傾倒しており（図２）、開放姿勢で上方を向いた内側面４２には、後述する操作部材に向けて入賞球をスムーズに案内するような壁形状（凸形状）が形成されている。各可動片４Ａ，４Ｂの外側面４３は膨出する曲面状に成形されている。
【００１４】
容器部２１内に収納された操作部材３は長方形状の板体で、その中間位置において幅方向へ貫設された軸部材３１により容器部２１の側壁間に回転可能に支持されて、天秤式に傾動可能である。操作部材３の一方の側縁にはこれに沿って長手方向へ一定高さのガイド壁３２が形成されて、後述のように可動片４Ａ，４Ｂが閉鎖姿勢の状態でこれらの間に進入して操作部材３の上面に至った入賞球を、他端部たる後端部３９方向へ確実に案内するようにしてある。操作部材３は図１に示す傾斜状態では一端部たるその前端部３４が上昇して、全体が後方へ大きく下り傾斜している。
【００１５】
操作部材３の後端部３９には下方へ露出させて幅方向へ延びる磁石体３８が嵌着されている。また、操作部材３には後端部３９より前方で軸部材３１より後方位置に、当接部としての当接板３３が設けてある。当接板３３はその基端が操作部材３の下面に埋設されて、操作部材３に対して略直角に下方へ延びている。上記後端部３９の下方には容器部２１の側壁間に金属製棒体２６が架設されて、傾斜状態の操作部材３の上記磁石体３８が上記棒体２６に吸着して、傾斜状態が確実に維持されるようになっている。操作部材３の前半部下面からは下方へ当接部４０が突出している。当接部４０は下端が前方へ屈曲し、下端部４０１は前方へ漸次狭幅になっている。そして、開放姿勢のときの可動片４Ａ，４Ｂの下方には上記下端部４０１との間に入賞球を１個分収納できる収納空間Ｓ（図２）が形成されている。なお、操作部材３の後端部３９には段付きに低くなりかつ側方へ傾斜した凹所３６が形成されている。
【００１６】
ここで、上記各可動片４Ａ，４Ｂの基端部４４には図３に示すように略半円形の切欠き４５が形成されており、これら切欠き４５によって、開放姿勢となった左右の可動片４Ａ，４Ｂの間に円形開口１ａが形成されている。この円形開口１ａの内径は入賞球の外径よりも大きく、入賞球が抵抗なく通過できる大きさとなっている。切欠き４５が形成された可動片４Ａ，４Ｂの基端部４４は図４に示すように段付きに凹陥しており、これら凹陥部４６によって、開放姿勢となった左右の可動片４Ａ，４Ｂの間には、入賞球Ｂ１〜Ｂ３を二個は並列に収納できない幅寸法の、上方へ開放する凹所１ｂが形成されている。
【００１７】
このような構造の入賞球受口器１において、可動片４Ａ，４Ｂが開放姿勢にある状態でこれらの間に入賞球Ｂ１が進入すると（図４）、進入した入賞球Ｂ１は可動片４Ａ，４Ｂの間に形成された開口１ａを抵抗なく下方へ通過する。この際に、図４に示すように三個の入賞球Ｂ１，Ｂ２，Ｂ３が連続して進入してきても、最初の入賞球Ｂ１は上記開口１ａを速やかに下方へ通過して収納空間Ｓ内に進入して、完全に開口１ａを通過する。これにより、入賞球Ｂ１が後続の入賞球Ｂ２，Ｂ３と接触することが起こりにくくなるから、球噛みの発生がより確実に防止される。続く二個の入賞球Ｂ２，Ｂ３は、上記凹所１ｂが二個は並列に収納できない幅寸法となっていることにより、両者の平衡状態が崩れていずれか一方のみが凹所１ｂ内に進入し、凹所１ｂ内に進入した入賞球Ｂ２は凹陥部４６に案内されて開口１ａに至ってこれに進入する。この時には最初の入賞球Ｂ１は、上記当接部４０の下端部４０１に当接しつつ収納空間Ｓから容器部２１内を後方へ流出させられており、入賞球Ｂ２は開口１ａを速やかに下方へ通過して収納空間Ｓに至り、容器部２１内を後方へ流出させられる。最後の入賞球Ｂ３は、上記入賞球Ｂ１，Ｂ２の通過によって後述のように下降させられた前端部３４から操作部材３上をその後端部３９方向へ転動する。このようにして、三個の入賞球Ｂ１〜Ｂ３が連続して進入しても、開放姿勢の可動片４Ａ，４Ｂの間で三個噛みを生じることなく、開口１ａを順次円滑に下方へ通過させられる。
【００１８】
開口１ａを通過した入賞球Ｂ（図１）は上述のようにその下方に突出している当接部４０の下端部４０１に当接し、その荷重によって操作部材３を軸部材３１回りに図１の反時計方向へ傾動させ、前端部３４を下降させる。この時、跳ねる等によって進入軌跡が変化し上記下端部４０１に適切に荷重を与えなかった入賞球Ｂは、下端部４０１よりも後方に位置する当接板３３に当たる。当接板３３に入賞球Ｂの荷重を受けた操作部材３は軸部材３１回りに図１の反時計方向へ傾動させられ、その前端部３４が下降する。
【００１９】
下降した操作部材３の前端部３４は左右の可動片４Ａ，４Ｂの基端部４４に当接して、これらを自重に抗して起立させ閉鎖姿勢に回動させる（図５、図６）。閉鎖姿勢では左右の可動片４Ａ，４Ｂは内側面４２を略平行に対向させた状態となり、これらの間に形成される開口は、進入する入賞球の外径よりやや大きい程度となる。この状態で入賞球が可動片の間に進入すると、入賞球Ｂ（図５）は可動片４Ａ，４Ｂの内側面４２に形成された凸形状により案内されて、操作部材３の前端部３４側へ落下し、操作部材３の傾斜する上面をその後端部３９へ向けて転動する。操作部材３は後端部３９へ至った入賞球Ｂの荷重を受けて再び傾斜状態になり（図１）、その前端部３４が上昇して可動片４Ａ，４Ｂが自重によって上述した開放姿勢になる（図２）。なお、入賞球Ｂは操作部材３の後端部３９上から図略の流路へ落下排出される。
【００２０】
（第２実施形態）
本実施形態では、入賞球が閉鎖姿勢の可動片４Ａ，４Ｂの間には進入せず、別に設けた進入経路から入賞球受口器１内に進入する構造のものに本発明を適用した場合について説明する。図７、図８はそれぞれ可動片４Ａ，４Ｂが開放姿勢となった状態での入賞球受口器の断面図およびその概略正面図である。受口器１の筐体２、可動片４Ａ，４Ｂ、操作部材３等の基本構造は第１実施形態と同様であり、以下は相違点を中心に説明する。図７において、操作部材３は傾斜状態となって、その前端部３４が左右の可動片４Ａ，４Ｂの基端部４４間から上方へ脱出し、可動片４Ａ，４Ｂは自重によって傾倒した開放姿勢となっている。なお、操作部材３の前端部３４には切欠き部９１が形成され、当該切欠き部９１に隣接した前端部３４板面上には山形断面のストッパ部９２が一定幅で突出形成されている。開放姿勢で上方を向いた各可動片４Ａ，４Ｂの内側面４７，４８は、互いに非対称な湾曲凹面となっている。なお、筐体２の容器部２１の頂壁は後端部が開放されて入賞球進入用の開口１ｃとなっている。
【００２１】
上記各可動片４Ａ，４Ｂの基端部４４には図９に示すように略半円形の切欠き４５が形成されており、これら切欠き４５によって、開放姿勢となった左右の可動片４Ａ，４Ｂの間に円形開口１ａが形成されている。この円形開口１ａの内径は入賞球の外径よりも大きく、入賞球が抵抗なく通過できる大きさとなっている。切欠き４５が形成された可動片４Ａ，４Ｂの基端部４４は図１０に示すように互いに非対称に段付きに凹陥しており、これら凹陥部４９１，４９２によって、開放姿勢となった左右の可動片４Ａ，４Ｂの間に、入賞球を二個は並列に収納できない幅寸法の、上方へ開放する凹所１ｂが形成されている。
【００２２】
このような構造の入賞球受口器１において、可動片４Ａ，４Ｂが開放姿勢にある状態でこれらの間に入賞球Ｂ１が進入すると（図１０）、進入した入賞球Ｂ１は可動片４Ａ，４Ｂの間に形成された開口１ａを抵抗なく下方へ通過する。この際に、図１０に示すように三個の入賞球Ｂ１、Ｂ２，Ｂ３が連続して進入してきても、最初の入賞球Ｂ１は上記開口１ａを速やかに下方へ通過して収納空間Ｓ内に進入する。続く二個の入賞球Ｂ２，Ｂ３は、可動片４Ａ，４Ｂの内側面が非対称の湾曲凹面４７，４８となっていること、および上記凹所１ｂが二個は並列に収納できない幅寸法となっていることにより、両者の平衡状態が崩れていずれか一方のみが凹所１ｂ内に進入し、凹所１ｂ内に進入した入賞球Ｂ２は凹陥部４６に案内されて開口１ａに至ってこれに進入する。この時には最初の入賞球Ｂ１は、上記当接部４０の下端部４０１に当接しつつ収納空間Ｓから容器部２１内を後方へ流出させられており、入賞球は開口１ａを速やかに下方へ通過して収納空間Ｓに至り、容器部２１内を後方へ流出させられる。続いて最後の入賞球Ｂ３が凹所１ｂから開口１ａへ進入してこれを下方へ通過し、収納空間Ｓを経て容器部２１内を後方へ流出させられる。このようにして、三個の入賞球Ｂ１〜Ｂ３が連続して進入しても、開放姿勢の可動片４Ａ，４Ｂの間で三個噛みを生じることなく、開口１ａを順次円滑に下方へ通過させられる。
【００２３】
開口１ａを通過した入賞球Ｂ（図７）はその下方に突出している当接部４０の下端部４０１に当たり、その荷重によって操作部材３を軸部材３１回りに図１の反時計方向へ傾動させ、前端部３４を下降させる。この時、跳ねる等によって進入軌跡が変化し上記下端部４０１に当たらなかった入賞球Ｂは、下端部４０１よりも後方に位置する当接板３３に当たる。当接板３３に入賞球Ｂの荷重を受けた操作部材３は軸部材３１回りに図１の反時計方向へ傾動させられ、その前端部３４が下降する。前端部３４は下降する過程で前方へ進出し始めるが、切欠き部９１が形成されていることによって入賞球の下方への通過は円滑に行われる。
【００２４】
下降した操作部材３の前端部３４は左右の可動片４Ａ，４Ｂの基端部４４に当接して、これらを自重に抗して起立させ閉鎖姿勢に回動させる（図１１、図１２）。閉鎖姿勢では左右の可動片４Ａ，４Ｂは内側面４７，４８を略平行に対向させた状態となる。この状態で入賞球Ｂ（図１１）が容器部２１の開口１ｃから進入して操作部材３の後端部３９上へ落下すると入賞球Ｂの荷重を受けた操作部材３は再び傾斜状態になり（図７）、その前端部３４が上昇して可動片４Ａ，４Ｂが自重により上述した開放姿勢になる（図８）。ここで、後端部３９上へ落下した入賞球Ｂが跳ねて先端部３４方向へ向かってもストッパ部９２に当たって再び後端部３９へ戻される。なお、入賞球Ｂは操作部材３の後端部３９上から図略の流路へ落下排出される。
【００２５】
（第３実施形態）
図１３にはカバー部と可動片を取り除いた入賞球受口器１の筐体容器部２１の前方斜視図を示し、図１４には入賞球受口器１の全体断面図を示す。本実施形態では操作部材３を収納した容器部２１の側壁内面に案内部材５が設けてある。案内部材５は長板状のもので、その基端が容器部２１の側壁内面に固定され、これから水平に延びてその先端は操作部材３の当接部４０に対向している。そして、操作部材３が、その前端部３４が上昇した傾斜状態となっている場合、すなわち可動片４Ａ，４Ｂが開放姿勢にある場合（図２参照）には、図１４に示すように、案内部材５は当接部４０の下端部４０１に対してその後上方に位置する。他の構造は第１実施形態と同様である。
【００２６】
このような構造において、開口１ａを通過した入賞球Ｂは通常は、既に説明したようにその下方に突出している当接部４０の下端部４０１に当接して、その荷重によって操作部材３を軸部材３１回りに図１４の反時計方向へ傾動させ、前端部３４を下降させる。この時、跳ねる等によって進入軌跡が変化し上記下端部４０１に適切に荷重を与えなかった入賞球Ｂが生じても、これは、下端部４０１よりも後方に位置する案内部材５に当たり、ここで跳ね返されて、又は垂直方向へ落下させられて、下端部４０１方向へ案内される（図１４の矢印）。下端部４０１に至った入賞球Ｂはこれに荷重を与えて操作部材３をその前端部３４が下降するように傾動させる。下降した操作部材３の前端部３４は左右の可動片４Ａ，４Ｂの基端部４４に当接して、これらを自重に抗して起立させ閉鎖姿勢に回動させる。これにより、開放姿勢の可動片４Ａ，４Ｂの間に進入した入賞球Ｂによって可動片４Ａ，４Ｂは確実に閉鎖姿勢に戻される。なお、この場合、当接板３３は、案内部材５と棒体２６との間に位置することで、この間に入賞球Ｂがはまり込んでしまうのを防止する役割を果たしている。
【００２７】
上記各実施形態においては、天秤式の入賞球受口器に本発明を適用した場合について説明したが、入賞球が接触することによって回転する回転体を利用して、可動片を開放・閉鎖姿勢へ回動させるようにした回転体式の入賞球受口器に本発明を適用することもできる。また、開口１ａは必ずしも左右の可動片１Ａ，１Ｂの切欠き４５によって形成する必要はなく、いずれか一方の可動片のみによって形成しても良い。
【図面の簡単な説明】
【００２８】
【図１】本発明の第１実施形態における、可動片が開放姿勢にある状態での入賞球受口器の垂直断面図である。
【図２】可動片が開放姿勢にある状態での入賞球受口器の概略正面図である。
【図３】可動片が開放姿勢にある状態での入賞球受口器の斜視図である。
【図４】開放姿勢にある可動片の断面図である。
【図５】可動片が閉鎖姿勢にある状態での入賞球受口器の垂直断面図である。
【図６】可動片が閉鎖姿勢にある状態での入賞球受口器の概略正面図である。
【図７】本発明の第２実施形態における、可動片が開放姿勢にある状態での入賞球受口器の垂直断面図である。
【図８】可動片が開放姿勢にある状態での入賞球受口器の概略正面図である。
【図９】可動片が開放姿勢にある状態での入賞球受口器の斜視図である。
【図１０】開放姿勢にある可動片の断面図である。
【図１１】可動片が閉鎖姿勢にある状態での入賞球受口器の垂直断面図である。
【図１２】可動片が閉鎖姿勢にある状態での入賞球受口器の概略正面図である。
【図１３】本発明の第３実施形態における、入賞球受口器の筐体収納部を前方から見た斜視図である。
【図１４】可動片が開放姿勢にある状態での入賞球受口器の垂直断面図である。
【図１５】従来例を示す、開放姿勢にある可動片の概略正面図である。
【符号の説明】
【００２９】
１...入賞球受口器、１ａ...開口、１ｂ...凹所、２...筐体、３...操作部材、３３...当接板、３４...前端部、３９...後端部、４Ａ，４Ｂ...可動片、４４...基端部、５...案内部材、Ｂ...入賞球、Ｓ...収納空間。
【図１】
2006055376.tif 000003
【図２】
2006055376.tif 000004
【図３】
2006055376.tif 000005
【図４】
2006055376.tif 000006
【図５】
2006055376.tif 000007
【図６】
2006055376.tif 000008
【図７】
2006055376.tif 000009
【図８】
2006055376.tif 000010
【図９】
2006055376.tif 000011
【図１０】
2006055376.tif 000012
【図１１】
2006055376.tif 000013
【図１２】
2006055376.tif 000014
【図１３】
2006055376.tif 000015
【図１４】
2006055376.tif 000016
【図１５】
2006055376.tif 000017